(57)【特許請求の範囲】
【請求項１】
絶縁物により中空状に形成されたケース本体と、
前記ケース本体の一端面に、
前記ケース本体の内側面に収納する電池の周面に当接し、前記電池を所定の状態に保持する複数の電池保持リブと、
前記電池の外形寸法よりも小さな開口で前記電池の一端面の出力端子部のみを突出させる保持部を備え、
前記ケース本体の他端面に、
前記電池の他端面を表出させる開口部を備え、
前記保持部は、前記電池の一端面に係合する複数の係止片を有し、
前記ケース本体の一端面に、前記電池保持リブと前記係止片が交互に配置されることを特徴とする電池サイズ変換スペーサー。
【請求項２】
前記係止片は、前記ケース本体の一端面から外方に突出し、
前記電池保持リブにより前記電池が前記所定の状態に保持されたとき、前記電池の一端面は前記係止片に当接しないで、
前記電池が前記所定の状態より前記ケース本体の一端面の方向に移動したとき、前記電池の一端面が前記係止片に当接するとともに、前記出力端子部及び前記電池の他端面が前記ケース本体から突出することを特徴とする請求項１記載の電池サイズ変換スペーサー。
【請求項３】
前記電池保持リブは、前記ケース本体の内壁から中心方向に突出する弾性片であり、先端に前記所定の状態で前記電池の溝部に係合する突部を有することを特徴とする請求項１または２記載の電池サイズ変換スペーサー。
【請求項４】
前記開口部は、前記ケース本体に結合し、前記電池の外形寸法以上の開口を有するケース蓋板で構成されることを特徴とする請求項１乃至３のいずれか１項に記載の電池サイズ変換スペーサー。
【発明の詳細な説明】
【技術分野】
【０００１】
本発明は、単３形や単４形ニッケル水素電池等の単セル充電式電池（以下、電池）をより大きな電池サイズに変換する電池サイズ変換スペーサーに関するものであり、特に単３形電池を単２サイズに変換するスペーサーに関する。
【背景技術】
【０００２】
従来、電池をより大きな電池サイズに変換する電池サイズ変換スペーサーは、絶縁物により中空状に形成されたケース本体の内側面に収納する電池の周面に当接する複数の電池保持リブを設けるとともに、一端面に収納する電池の一方の出力端子部を突出させるように電池の端面を保持する保持部を設け、他端面には電池の他端を表出させる開口部を備えた電池サイズ変換スペーサーとなっている。
【０００３】
以下図面を参考にしながら上述した電池サイズ変換スペーサーについて説明する。図４において、電池サイズ変換スペーサーのケース本体１は、絶縁性を有する樹脂材料で中空状に成型されており、その内側面には収納する電池８の外周面に当接する複数の電池保持リブ２を設けている。また、電池保持リブ２の先端には、電池８の溝部に係合する突部３も設けられている。さらに、収納する電池８のプラス極を突出させるための保持部４及びマイナス極を突出させるための開口部６を設けている。
【０００４】
図５において、電池サイズ変換スペーサーの使い方を説明する。収納する電池８のプラス極側を電池サイズ変換スペーサーの開口部６側から挿入し、電池保持リブ２の先端にある突部３に電池８の溝部が係合するまで押しこむ。この状態で電池８から手を離すと、電池８のプラス極及びマイナス極が若干突出したまま静止しているので、使用する機器の電池ボックスに装着して使用することができる。
【０００５】
また、他の従来例として、中空の半円柱状２体でケース本体を形成し同様の機能をもたせたものもある。（例えば、特開２００２−６３８７９号公報参照）
【先行技術文献】
【特許文献】
【０００６】
【特許文献１】特開２００２−６３８７９号公報
【発明の概要】
【発明が解決しようとする課題】
【０００７】
しかしながら、前記従来の電池サイズ変換スペーサーでは、使用する機器の電池ボックスに装着する際に、電池がプラス極から若干突出したまま静止した状態を保てずにかなり飛び出してしまい、使用する機器への装着が困難になるという課題を有していた。
【０００８】
また、他の従来の電池サイズ変換スペーサーでは、単３形の電池を単２サイズに変換した時にマイナス極側のケース肉厚分が増した全長となることで、使用する機器への装着性が低下するという課題を有していた。
【０００９】
そこで、本発明の電池サイズ変換スペーサーは、電池がプラス極側から飛び出さず、また単３形の電池を単２サイズに変換しても全長が変化しない、使用機器への装着性の良い
電池サイズ変換スペーサーを提供することを目的とする。
【課題を解決するための手段】
【００１０】
上記目的を達成するために、本発明の電池サイズ変換スペーサーは、絶縁物により中空状に形成されたケース本体と、前記ケース本体の一端面に、前記ケース本体の内側面に収納する電池の周面に当接し、前記電池を所定の状態に保持する複数の電池保持リブと、前記電池の外形寸法よりも小さな開口で前記電池の一端面の出力端子部のみを突出させる保持部とを備え、前記ケース本体の他端面に、前記電池の他端面を表出させる開口部を備え、前記保持部は、前記電池の一端面に係合する複数の係止片を有し、前記ケース本体の一端面に、前記電池保持リブと前記係止片が交互に配置される構成としたものである。
【００１１】
また、前記係止片は、前記ケース本体の一端面から外方に突出し、前記電池保持リブにより前記電池が前記所定の状態に保持されたとき、前記係止片は前記電池の一端面に当接しないで、前記電池が前記所定の状態より前記ケース本体の一端面の方向に移動したとき、前記係止片が前記電池の一端面に当接するとともに、前記出力端子部及び前記電池の他端面が前記ケース本体から突出するものである。また、前記電池保持リブは、前記ケース本体の内壁から中心方向に突出する弾性片であり、先端に前記所定の状態で前記電池の溝部に係合する突部を有するものである。
【００１２】
また、前記開口部は、前記ケース本体に結合し、前記電池の外形寸法以上の開口を有するケース蓋板で構成されるものである。
【発明の効果】
【００１３】
本発明によると、電池を電池サイズ変換スペーサーに容易にセットすることができ、また電池を電池サイズ変換スペーサーにセットする時や電池サイズ変換スペーサーを使用機器にセットする時に、電池のプラス極側から抜け出ることがなく、さらにプラス極側電池ラベルの破れ保護機能も果たすため、使い勝手と安全性の向上が図れる。
【００１４】
さらに、電池プラス極側は単２形電池とほぼ同様な形状であり、電池マイナス極側にホルダー肉厚分を増すことなく電池のガタツキを抑えることができるので使い勝手がより向上する。
【図面の簡単な説明】
【００１５】
【図１】本発明の実施の形態における電池サイズ変換スペーサー外観図
【図２】本発明の実施の形態における電池サイズ変換スペーサー断面図
【図３】本発明の実施に形態における使用状態の図
【図４】従来の電池サイズ変換スペーサー外観図
【図５】従来の電池サイズ変換スペーサー断面図
【図６】従来の電池サイズ変換スペーサー使用状態の図
【発明を実施するための最良の形態】
【００１６】
本発明における第１の発明は、絶縁物により中空状に形成されたケース本体の内側面に収納する電池の周面に当接する複数の電池保持リブを設けるとともに、一端面に収納する電池の一方の出力端子部を突出させるように電池の端面を保持する保持部を設け、他端面には電池の他端を表出させる開口部を備えた電池サイズ変換スペーサーにおいて、ケース本体の一端面に電池の外形寸法よりも小さな開口となる係止片を一定の間隔をもつように複数個設けたものであり、この構成とすることによって、電池を電池サイズ変換スペーサーに容易にセットすることができる。また電池を電池サイズ変換スペーサーにセットする時や電池サイズ変換スペーサーを使用機器にセットする時に、電池のプラス極側から抜け出ることがなく、さらにプラス極側電池ラベルの破れ保護機能も果たすという効果が得られる。
【００１７】
本発明における第２の発明は、前記第１の発明におけるケース本体の一端面の保持部に設けた複数の係止片をケース本体の一端面から外方に突出し電池の一端面に係合するように構成したものであり、第１の発明による効果に加えて、使用機器の電池ボックスへの適合性が高まるという効果が得られる。
【００１８】
本発明における第３の発明は、前記第１の発明におけるケース本体の電池保持リブをケース本体の内壁から中心方向に突出する複数の弾性片で構成され、先端部は電池の溝部に係合する突部を備えた構成としたものであり、第１の発明による効果に加えて、電池の保持位置が一定するという効果が得られる。
【００１９】
本発明における第４の発明は、前記第１の発明におけるケース本体の他端面の開口部を収納する電池の外形寸法と同じか少し大きい寸法の開口を持ったケース蓋板で構成し、このケース蓋板をケース本体の他端面に結合して構成したものであり、第１の発明による効果に加えて、電池のマイナス極がほぼ中心位置で安定しているという効果が得られる。
【００２０】
以下、本発明を実施するための最良の形態について、図面を用いて詳細に説明する。
【００２１】
（実施の形態）
図１は本発明の実施の形態における電池サイズ変換スペーサーの全体図、図２は本発明の実施の形態における電池サイズ変換スペーサーの断面図である。
【００２２】
電池サイズ変換スペーサーはケース本体１とケース蓋板７の２種類の絶縁性を有する樹脂成型部品で構成され、ケース蓋板７には一体成型された三角リブ９がケース本体１に当接する側に設けてあり、超音波溶着工法によりケース本体１と固着されている。
【００２３】
また、ケース本体１は中空状に形成されており、内側面に収納する電池８の周面に当接する３本の電池保持リブ２が設けてある。その３本の電池保持リブ２は、ケース本体１の内壁から中心方向に突出する弾性片であり、先端部には電池の溝部に係合する突部３を備えた構成としている。
【００２４】
ここでの電池８は、単３形ニッケル水素電池があげられます。
【００２５】
また、ケース本体１の電池８のプラス極と相対する側に、電池８のプラス極出力端子部を突出させるように電池８の端面を保持する保持部４を設けており、電池８の外形寸法よりも小さな開口となるような３個の係止片５を一定の間隔をもつようにケース本体１の一端面から外方に突出し電池８のプラス極側の一端面に係合するように設けている。
【００２６】
この保持部４の係止片５は、内側面が斜面になるように外方に突出し、上端は平面にカットした形状としている。係止片５はできる限り小さくかつ薄く、しかし必要な強度を保つような成型厚みとしている。
【００２７】
また、ケース蓋板７は電池８のマイナス極側を表出させる開口部６を備え、その開口部６は、収納する電池８の外形寸法と同じか少し大きい寸法としている。
【００２８】
本発明の実施の形態における電池サイズ変換スペーサーの動作を詳細に説明する。電池８のプラス極側を電池サイズ変換スペーサーの開口部６から挿入し、電池８の溝部が電池保持リブ２の先端にある突部３に係合するまで押し込み、電池８が電池サイズ変換スペーサーによって保持され単２サイズ電池に変換された状態にする。その状態で、単２サイズの電池を使用する機器の電池ボックスに装着して使用する。
【００２９】
電池保持リブ２で電池８が保持されている状態では、電池８がケース本体１の保持部４に設けた係止片５とは当接していない寸法関係になっている。
【００３０】
しかし、電池８が保持されている状態で電池８のマイナス極側が指等で強く押されたり、使用機器の電池ボックスに装着する過程でマイナス極側のバネで強く押されることにより、電池８がケース本体１の保持部４に設けた電池８の外形寸法よりも小さな開口となっている係止片５と当接する寸法関係になることがある。
【００３１】
この場合、係止片５によって、電池８は電池サイズ変換スペーサーから抜け出ることはない。
【００３２】
これにより、電池８を電池サイズ変換スペーサーに容易にセットすることができ、また電池８を電池サイズ変換スペーサーにセットする時や電池サイズ変換スペーサーを使用機器にセットする時に、電池８のプラス極側から抜け出ることがなく、さらにプラス極側電池ラベルの破れ保護機能も果たすという効果が得られる。
【００３３】
なお、本発明の実施の形態においては、ケース本体１とケース蓋板７が超音波溶着工法により固着されているが、接着による固定方法、あるいはネジ溝を設けることによる固定方法等によっても実現可能である。ケース蓋板７の外周面に歯溝を設けた形状としたが、平坦でも良い。
【００３４】
また、ケース本体１は難燃ＡＢＳを樹脂成型材料とした厚みとしているが、さらに強度のある樹脂成型材料を使用してより小さくかつ薄くしても良い。
【産業上の利用可能性】
【００３５】
本発明にかかる電池サイズ変換スペーサーは、単２形乾電池を使用する機器の電源として一時的に単３形充電式電池をサイズ変換して使用する電池サイズ変換スペーサーであり、電池の飛出し防止、乾電池代用として充電式電池を使用する時の安全性を構造的に確保することができるので、一時的に使用する電池サイズ変換スペーサー等として有用である。
【符号の説明】
【００３６】
１  ケース本体
２  電池保持リブ
３  突部
４  保持部
５  係止片
６  開口部
７  ケース蓋板
８  電池
９  三角リブ
【図１】
0005605352.tif 000002
【図２】
0005605352.tif 000003
【図３】
0005605352.tif 000004
【図４】
0005605352.tif 000005
【図５】
0005605352.tif 000006
【図６】
0005605352.tif 000007